(57)【要約】【課題】枠体の室外側の部材に２列のシール部材を当接するカーテンウォールユニットにおいて、シール部材を枠体に容易に連続して装着する。【解決手段】枠体３は、パネル体２Ａとともに室内外を区画する本体ユニット６と、本体ユニット６の室外側に連結され、当該室外側に突出する連結ユニット７を有する。本体ユニット６は、２列のシール部材４、５が装着される２列の本体装着部を有する。連結ユニット７は、本体ユニット６の室外側に位置する建物１０の部材と対向する対向部７Ａと、対向部７Ａに接続して本体ユニット６まで配置された接続部７Ｃと、対向部７Ａに形成されて２列のシール部材４、５が装着される２列の対向装着部と、接続部７Ｃに形成されて２列のシール部材４、５が装着される２列の接続装着部を有する。シール部材４、５は、本体装着部、接続装着部、及び、対向装着部に連続して装着される。【選択図】  図４
2019218727.tif 000002
【特許請求の範囲】
【請求項１】
枠体と、前記枠体の開口部に配置されたパネル体と、前記枠体に装着されて前記枠体の外側に外気圧と等圧となる空間を形成する２列のシール部材と、を備えたカーテンウォールユニットであって、
前記枠体は、前記開口部を形成して前記パネル体とともに室内外を区画する本体ユニットと、前記本体ユニットの室外側に連結され、当該室外側に突出する連結ユニットと、を有し、
前記本体ユニットは、前記２列のシール部材が装着される２列の本体装着部を有し、
前記連結ユニットは、前記本体ユニットの室外側に位置する建物の部材と対向する対向部と、前記対向部に接続して前記本体ユニットまで配置された接続部と、前記対向部に形成されて前記２列のシール部材が装着される２列の対向装着部と、前記接続部に形成されて前記２列のシール部材が装着される２列の接続装着部と、を有し、
前記シール部材は、前記本体装着部、前記接続装着部、及び、前記対向装着部に連続して装着されるカーテンウォールユニット。
【請求項２】
請求項１に記載されたカーテンウォールユニットにおいて、
前記枠体は、前記本体ユニットと前記連結ユニットの間に挟まれた止水材を有するカーテンウォールユニット。
【請求項３】
請求項１又は２に記載されたカーテンウォールユニットにおいて、
前記連結ユニットは、前記パネル体の室外側面よりも室内側で前記本体ユニットに連結されたカーテンウォールユニット。
【請求項４】
請求項１ないし３のいずれかに記載されたカーテンウォールユニットにおいて、
前記本体ユニットは、前記連結ユニットが連結される連結枠を有し、
前記連結ユニットは、前記連結枠の長手方向に沿って配置されて前記連結枠に取り付けられる取付部を有するカーテンウォールユニット。
【請求項５】
請求項４に記載されたカーテンウォールユニットにおいて、
前記連結枠は、室外側部と、前記本体ユニットの外周側に位置する外周部と、を有し、
前記取付部は、前記室外側部の室外側に配置されて前記室外側部に固定される固定部と、前記外周部に装着されて前記外周部を覆うカバー部と、を有するカーテンウォールユニット。
【発明の詳細な説明】
【技術分野】
【０００１】
本発明は、枠体の外側に外気圧と等圧となる空間（等圧空間）を形成する２列のシール部材を備えたカーテンウォールユニットに関する。
【背景技術】
【０００２】
カーテンウォールユニットは、建物のカーテンウォールに用いられており、建物の壁部に並べて設置されている。また、枠体を備えたカーテンウォールユニットでは、２列のシール部材により、枠体の外側に等圧空間を形成して、枠体の周りの止水性能を確保している。２列のシール部材は、枠体の外周部に装着されて、枠体の外周部と対向する建物の壁材に当接する（特許文献１参照）。
【０００３】
特許文献１に記載された従来のカーテンウォールユニットでは、シール部材は、横枠である上横枠材の外周部に装着されて、枠体の上方に位置する壁材に当接する。また、シール部材は、縦枠である左右の縦枠材の外周部に装着されて、枠体の側方に位置する壁材に当接する。壁材は、例えば、プレキャストコンクリート板（ＰＣ板）であり、建物の躯体に取り付けられている。
【０００４】
一般的なカーテンウォールユニットでは、２列の装着部が縦枠の外周部と横枠の外周部とに形成されて、２列のシール部材が縦枠の装着部と横枠の装着部とに装着される。また、縦枠の装着部と横枠の装着部とが連続するように形成されて、縦枠のシール部材と横枠のシール部材とが連続する。
【０００５】
ところが、建物の壁のデザイン等によっては、建物の部材（例えば、壁材、梁）が横枠の室外側に設けられて、シール部材を横枠の室外側の部材に当接させることがある。この場合には、シール部材が横枠の室外側に配置されるため、室外側のシール部材と縦枠のシール部材とを連続するための構造が枠体に付加される。そのため、枠体の構造が複雑になり、シール部材を連続して装着するための手間やコストが増加する虞がある。
【先行技術文献】
【特許文献】
【０００６】
【特許文献１】特開２００１−１１９９３号公報
【発明の概要】
【発明が解決しようとする課題】
【０００７】
本発明は、前記従来の問題に鑑みなされたもので、その目的は、枠体の室外側の部材に２列のシール部材を当接するカーテンウォールユニットにおいて、枠体の構造が複雑になるのを抑制するとともに、シール部材を枠体に容易に連続して装着することである。
【課題を解決するための手段】
【０００８】
本発明は、枠体と、前記枠体の開口部に配置されたパネル体と、前記枠体に装着されて前記枠体の外側に外気圧と等圧となる空間を形成する２列のシール部材と、を備えたカーテンウォールユニットである。前記枠体は、前記開口部を形成して前記パネル体とともに室内外を区画する本体ユニットと、前記本体ユニットの室外側に連結され、当該室外側に突出する連結ユニットと、を有する。前記本体ユニットは、前記２列のシール部材が装着される２列の本体装着部を有する。前記連結ユニットは、前記本体ユニットの室外側に位置する建物の部材と対向する対向部と、前記対向部に接続して前記本体ユニットまで配置された接続部と、前記対向部に形成されて前記２列のシール部材が装着される２列の対向装着部と、前記接続部に形成されて前記２列のシール部材が装着される２列の接続装着部と、を有する。前記シール部材は、前記本体装着部、前記接続装着部、及び、前記対向装着部に連続して装着される。
【発明の効果】
【０００９】
本発明によれば、枠体の室外側の部材に２列のシール部材を当接するカーテンウォールユニットにおいて、枠体の構造が複雑になるのを抑制できるとともに、シール部材を枠体に容易に連続して装着することができる。
【図面の簡単な説明】
【００１０】
【図１】本実施形態のカーテンウォールを示す正面図である。
【図２】本実施形態のカーテンウォールユニットを示す正面図である。
【図３】本実施形態のカーテンウォールユニットの枠体を示す斜視図である。
【図４】本実施形態のカーテンウォールユニットの縦断面図である。
【図５】本実施形態のカーテンウォールの横断面図である。
【図６】本実施形態のカーテンウォールユニットの縦断面図である。
【図７】本実施形態のカーテンウォールユニットの縦断面図である。
【図８】本実施形態のカーテンウォールの斜視図である。
【図９】本実施形態のカーテンウォールユニットの枠体を示す斜視図である。
【図１０】本実施形態のカーテンウォールユニットの枠体を示す斜視図である。
【図１１】本実施形態のカーテンウォールユニットの枠体を示す斜視図である。
【発明を実施するための形態】
【００１１】
本発明のカーテンウォールユニットの一実施形態について、図面を参照して説明する。
本実施形態のカーテンウォールユニットは、建物のカーテンウォールに用いられて、建物の室内（屋内）と室外（屋外）の間に設置される。
【００１２】
図１は、本実施形態のカーテンウォール１を示す正面図であり、建物１０の壁部１１に設けられたカーテンウォール１の一部を室外側からみて示している。図１において、上下方向が垂直方向であり、左右方向が水平方向である。
図示のように、建物１０は、壁部１１に、複数の壁材１２と開口部１３を備えている。複数の壁材１２は、例えば、ＰＣ板であり、建物躯体（図示せず）に取り付けられている。開口部１３は、上下方向に離隔した壁材１２の間に形成されている。
【００１３】
カーテンウォール１は、建物１０の壁部１１に並べて配置された複数のカーテンウォールユニット２を備えている。カーテンウォールユニット２は、カーテンウォール１の一部を構成するユニットであり、隣り合うカーテンウォールユニット２と組み合わされている。カーテンウォール１及びカーテンウォールユニット２は、建物１０の開口部１３に配置されて、建物１０の壁部１１に設置されている。ここでは、カーテンウォール１は、連窓であり、複数のカーテンウォールユニット２は、１つの開口部１３で左右方向に並べて設置されている。
【００１４】
図２は、本実施形態のカーテンウォールユニット２を示す正面図であり、図１に示すカーテンウォール１の１つのカーテンウォールユニット２を示している。
図示のように、カーテンウォール１の各カーテンウォールユニット２は、パネル体２Ａと、パネル体２Ａを囲む枠体３と、枠体３に装着されるシール部材４、５（図２のハッチングを付した部分）を備えている。パネル体２Ａは、枠体３に取り付けられたパネル状部材であり、枠体３の開口部３Ａに配置されている。また、パネル体２Ａは、複数のガラス板を有する複層ガラスであり、枠体３に嵌め込まれている。
【００１５】
枠体３は、開口部３Ａを形成する開口枠であり、枠体３の方形状の開口部３Ａは、方形状のパネル体２Ａにより閉鎖されている。シール部材４、５は、弾性変形可能な弾性シール部材であり、環状に形成されて、枠体３の外側に配置されている。シール部材４、５は、枠体３に連続して装着されて、枠体３と建物１０の部材との間、又は、隣り合う２つの枠体３の間に配置される。
【００１６】
図３は、本実施形態のカーテンウォールユニット２の枠体３を示す斜視図であり、枠体３の概略構成を示している。
図示のように、枠体３は、開口部３Ａを形成する本体ユニット６と、本体ユニット６の室外側に連結された連結ユニット７と、シート状の止水材３Ｂを有している。本体ユニット６と連結ユニット７は、互いに独立した個別のユニットとして構成されており、その状態で組み合わされて連結される。
【００１７】
本体ユニット６は、枠体３の枠状に形成された本体であり、枠組みされた４つの枠６Ａ〜６Ｃ（上枠６Ａ、下枠６Ｂ、一対の縦枠６Ｃ）を有している。枠６Ａ〜６Ｃは、例えば、押出成形により形成された形材であり、それぞれパネル体２Ａの縁部に沿って配置されている。４つの枠６Ａ〜６Ｃが方形状に組み合わされて、枠６Ａ〜６Ｃの長手方向の端部同士が接続されている。上枠６Ａと下枠６Ｂは、横方向（左右方向）に延びる一対の横枠であり、一対の縦枠６Ｃの間に設けられている。
【００１８】
一対の縦枠６Ｃは、上枠６Ａの端部と下枠６Ｂの端部の間で縦方向（上下方向）に延びる。上枠６Ａと下枠６Ｂが一対の縦枠６Ｃの端部（上端部、下端部）の間に配置されて、取付部材（例えば、ビス）により、一対の縦枠６Ｃの端部が上枠６Ａの端部と下枠６Ｂの端部に取り付けられている。４つの枠６Ａ〜６Ｃにより、方形状の本体ユニット６が形成されるとともに、本体ユニット６の内側に開口部３Ａが形成されている。パネル体２Ａは、本体ユニット６に取り付けられて、本体ユニット６に保持されている。本体ユニット６は、開口部３Ａに配置されたパネル体２Ａとともに室内外を区画している。従って、本体ユニット６及びパネル体２Ａにより区画された一方側が、室内外方向における室外側であり、本体ユニット６及びパネル体２Ａにより区画された他方側が、室内外方向における室内側である。
【００１９】
止水材３Ｂは、例えば、ゴム製のシーラーであり、本体ユニット６と連結ユニット７の連結部分３Ｃに配置されて、本体ユニット６と連結ユニット７の間に挟まれている。連結部分３Ｃは、枠体３における本体ユニット６と連結ユニット７とが連結された部分である。止水材３Ｂにより、本体ユニット６と連結ユニット７の連結部分３Ｃがシールされて、本体ユニット６と連結ユニット７の間への水の浸入が防止される。
【００２０】
連結ユニット７は、本体ユニット６の上部に連結されており、枠体３は、連結ユニット７が位置する上部において室外側に屈曲している。ここでは、連結ユニット７は、本体ユニット６の上枠６Ａに連結されており、連結部分３Ｃは、本体ユニット６の上枠６Ａと連結ユニット７とが連結された部分である。止水材３Ｂは、室外側に位置する上枠６Ａの室外側部５２で上枠６Ａの両端部に設けられて、上枠６Ａ（室外側部５２）と連結ユニット７の間に挟まれる。２つの止水材３Ｂにより、連結部分３Ｃの両端部がシールされて、連結部分３Ｃの両端部からの水の浸入が防止される。
【００２１】
図４は、本実施形態のカーテンウォールユニット２の縦断面図であり、図１のＸ１−Ｘ１線で切断したカーテンウォールユニット２と建物１０の壁材１２を示している。
図３、図４に示すように、連結ユニット７は、本体ユニット６（上枠６Ａ）から室外側に向かって配置される室外側ユニットであり、本体ユニット６の室外側で本体ユニット６に連結されている。また、連結ユニット７は、本体ユニット６から室外側に突出する突出ユニットであり、本体ユニット６の室外側に位置する壁材１２（室外側壁材１２Ａ）に対して室内側に配置される。
【００２２】
連結ユニット７は、枠状に形成されて、本体ユニット６の室外側に位置する建物１０の部材（ここでは、室外側壁材１２Ａ）と対向する。室外側壁材１２Ａは、室外側部材であり、枠体３、本体ユニット６、上枠６Ａ、及び、連結ユニット７よりも室外側に位置する。連結ユニット７は、本体ユニット６の上枠６Ａから室外側壁材１２Ａに向かって突出して、室外側壁材１２Ａの室内側部１２Ｂと対向する。また、連結ユニット７は、室外側壁材１２Ａと対向する対向部７Ａと、本体ユニット６に取り付けられる取付部７Ｂと、対向部７Ａと取付部７Ｂに接続する一対の接続部７Ｃを有している。対向部７Ａ、取付部７Ｂ、及び、一対の接続部７Ｃは、例えば、押出成形により形成された形材であり、方形状に組み合わされて、長手方向の端部同士が接続されている。
【００２３】
対向部７Ａと取付部７Ｂは、横方向に延びる一対の横材であり、一対の接続部７Ｃの間に設けられている。一対の接続部７Ｃは、対向部７Ａの端部と取付部７Ｂの端部の間で室内外方向に延びる一対の接続材である。対向部７Ａと取付部７Ｂが一対の接続部７Ｃの端部の間に配置されて、取付部材（例えば、ビス）により、一対の接続部７Ｃの端部が対向部７Ａの端部と取付部７Ｂの端部に取り付けられている。対向部７Ａ、取付部７Ｂ、及び、一対の接続部７Ｃにより、方形状の連結ユニット７が形成されるとともに、連結ユニット７の内側に開口部７Ｄが形成されている。
【００２４】
連結ユニット７は、カーテンウォールユニット２に機能を付加する機能ユニットであり、ここでは、空調装置の通気路１４（図４参照）に接続される通気ユニットである。連結ユニット７の開口部７Ｄは、通気口であり、通気路１４の室外側の開口部に接続する。複数のグリル羽根１５が、連結ユニット７に取り付けられて、開口部７Ｄの下側に並列して配置されている。空気は、開口部７Ｄ及び通気路１４を通って、カーテンウォールユニット２の室外側と室内側との間で流れる。
【００２５】
対向部７Ａは、室外側に位置する連結ユニット７の室外側部であり、連結ユニット７の先端部に位置している。取付部７Ｂは、対向部７Ａの室内側に位置しており、対向部７Ａに並列して配置されている。接続部７Ｃは、対向部７Ａに接続して、対向部７Ａから本体ユニット６まで配置されている。また、接続部７Ｃは、対向部７Ａの端部及び取付部７Ｂの端部に接続するとともに、対向部７Ａの端部から本体ユニット６の上枠６Ａの端部及び縦枠６Ｃの端部（上端部）まで配置されて、上枠６Ａの端部及び縦枠６Ｃの端部に接続している。
【００２６】
図５は、本実施形態のカーテンウォール１の横断面図であり、図１のＸ２−Ｘ２線で切断したカーテンウォール１を示している。また、図５では、横方向に隣り合う２つのカーテンウォールユニット２の縦枠６Ｃ側の部分を示している。図６、図７は、本実施形態のカーテンウォールユニット２の縦断面図である。図６は、図４に示すカーテンウォールユニット２の下枠６Ｂ側の部分を示し、図７は、図４に示すカーテンウォールユニット２の上枠６Ａ側の部分を示している。
【００２７】
図示のように、カーテンウォール１及びカーテンウォールユニット２において、枠６Ａ〜６Ｃのそれぞれの見付け方向は、室内側又は室外側からみたときの各枠６Ａ〜６Ｃの幅方向である。枠６Ａ〜６Ｃのそれぞれの見込み方向は、室内側又は室外側からみたときの各枠６Ａ〜６Ｃの奥行方向である。また、各枠６Ａ〜６Ｃの見込み方向は、室内外方向である。見込み方向の一方側は、室外側であり、見込み方向の他方側は、室内側である。本体ユニット６の内周側は、本体ユニット６の開口部３Ａ側であり、本体ユニット６の外周側は、本体ユニット６の開口部３Ａの反対側である。
【００２８】
カーテンウォールユニット２は、外気圧と等圧となる空間（等圧空間２０）を形成する２列のシール部材４、５（第１シール部材４、第２シール部材５）を備えている。２列のシール部材４、５は、枠体３に装着されて、枠体３の外側の等圧空間２０をシールする。等圧空間２０は、本体ユニット６、連結ユニット７、及び、２列のシール部材４、５により、枠体３の外側に連続して形成される環状の空間であり、枠体３の所定の外側部（枠体３の外側止水部）に沿って形成される。
【００２９】
２列のシール部材４、５は、それぞれ枠体３の本体ユニット６と連結ユニット７に連続して装着されるとともに、互いに離隔した状態で、枠体３の本体ユニット６と連結ユニット７に並列して配置されている。また、２列のシール部材４、５は、枠体３の外側部に沿って環状に配置されて、互いの間に等圧空間２０を形成する。等圧空間２０は、第１シール部材４に形成された通気孔（図示せず）により、カーテンウォールユニット２の室外と連通しており、第１シール部材４の通気孔を通して、室外との間で空気が出入りする。そのため、等圧空間２０内の圧力は、室外の圧力（外気圧）と同じ圧力に維持される。
【００３０】
枠体３は、２列のシール部材４、５が装着される２列の装着部８、９（第１装着部８、第２装着部９）を有している。２列の装着部８、９は、枠体３の本体ユニット６と連結ユニット７に連続して形成されるとともに、互いに離隔した状態で並列して形成されている。また、２列の装着部８、９は、枠体３の外側部に沿って環状に形成されている。シール部材４、５は、装着部８、９のそれぞれに連続して装着されて、装着部８、９に保持されている。
【００３１】
第１シール部材４は、止水部材であるヒレ状のレインバリアであり、第２シール部材５は、気密部材であるチューブ状のウインドバリアである。装着部８、９は、溝状に形成された装着溝であり、シール部材４、５に向かって開放されている。シール部材４、５は、装着部８、９（装着溝）に係止される係止部４Ａ、５Ａを有している。係止部４Ａ、５Ａは、シール部材４、５の基部（挿入部）であり、装着部８、９内に挿入された状態で装着部８、９に係止される。これにより、係止部４Ａ、５Ａが装着部８、９に取り付けられて、シール部材４、５が装着部８、９に装着される。
【００３２】
横方向に隣り合う２つのカーテンウォールユニット２の組み合わせ部分で（図５参照）、２つのカーテンウォールユニット２の縦枠６Ｃは、横方向に隣接して、互いに対向して配置されている。また、縦枠６Ｃは、板状の見込み部３０と、パネル体２Ａを保持する保持部３１と、保持部３１に取り付けられた押縁３２と、見込み部３０に対して本体ユニット６の外周側に位置する２列の装着部８、９（第１装着部８Ａ、第２装着部９Ａ）を有している。縦枠６Ｃの各部３０〜３２、８Ａ、９Ａは、縦枠６Ｃの長手方向である縦方向（上下方向）に沿って延びる。
【００３３】
見込み部３０は、縦枠６Ｃの内周部３３であり、縦枠６Ｃの見込み方向に沿って形成されている。縦枠６Ｃの内周部３３は、本体ユニット６の内周部の一部（側部）である。保持部３１は、見込み部３０の室外側の端部に連続して形成されて、見込み部３０よりも室外側に位置する。パネル体２Ａの縦縁部は、保持部３１に配置されて、押縁３２により、保持部３１及び縦枠６Ｃに保持されている。装着部８Ａ、９Ａは、縦枠６Ｃに形成された縦枠装着部であり、縦枠６Ｃの長手方向の両端部の間で連続して形成されている。
【００３４】
２列の装着部８Ａ、９Ａは、縦枠６Ｃの見込み方向に離隔しており、見込み部３０から横方向（側方）に突出している。第１装着部８Ａは、縦枠６Ｃの室外側装着部であり、第１シール部材４は、第１装着部８Ａに装着されている。第２装着部９Ａは、縦枠６Ｃの室内側装着部であり、第２シール部材５は、第２装着部９Ａに装着されている。縦枠６Ｃにおいて、第１装着部８Ａ及び第１シール部材４は、第２装着部９Ａ及び第２シール部材５よりも室外側に位置し、第２装着部９Ａ及び第２シール部材５は、第１装着部８Ａ及び第１シール部材４よりも室内側に位置する。
【００３５】
２列のシール部材４、５は、装着部８Ａ、９Ａから横方向に突出し、それぞれ横方向に隣接する他のカーテンウォールユニット２のシール部材４、５と当接する。横方向に隣接する２つのカーテンウォールユニット２の縦枠６Ｃ（見込み部３０、装着部８Ａ、９Ａ）とシール部材４、５により、縦枠６Ｃの等圧空間２０（縦枠等圧空間２１）が形成される。等圧空間２０の縦枠等圧空間２１は、縦枠６Ｃの長手方向（縦方向）に沿って連続して形成される。縦枠等圧空間２１の室外側部分が第１シール部材４によりシールされ、縦枠等圧空間２１の室内側部分が第２シール部材５によりシールされる。
【００３６】
なお、カーテンウォールユニット２の横方向に建物１０の部材（例えば、壁材１２、又は、壁材１２に装着されたシール部材）が隣接するときには、縦枠６Ｃの装着部８Ａ、９Ａ及びシール部材４、５は、建物１０の部材と対向する。また、シール部材４、５は、建物１０の部材と当接する。この場合には、縦枠等圧空間２１は、縦枠６Ｃ、シール部材４、５、及び、建物１０の部材により形成される。
【００３７】
下枠６Ｂ（図６参照）は、本体ユニット６の内周側に位置する内周部４０と、本体ユニット６の外周側に位置する外周部４１と、パネル体２Ａを保持する保持部４２と、保持部４２に取り付けられた押縁４３と、押縁４３に取り付けられたガスケット４４と、外周部４１に形成された２列の装着部８、９（第１装着部８Ｂ、第２装着部９Ｂ）を有している。下枠６Ｂの各部４０〜４４、８Ｂ、９Ｂは、下枠６Ｂの長手方向である横方向（左右方向）に沿って延びる。下枠６Ｂの外周部４１と装着部８Ｂ、９Ｂは、下枠６Ｂの下側に位置する建物１０の部材（ここでは、壁材１２（下側壁材１２Ｃ））に対して上側に配置されて、下側壁材１２Ｃと対向する。
【００３８】
内周部４０は、下枠６Ｂの見込み方向に沿って形成された見込み部であり、かつ、本体ユニット６の内周部の一部（下部）である。外周部４１は、本体ユニット６の外周部の一部（下部）であり、内周部４０の下側に位置する。保持部４２は、外周部４１よりも室外側に位置する。パネル体２Ａの下縁部は、保持部４２に配置されて、押縁４３により、保持部４２及び下枠６Ｂに保持されている。ガスケット４４は、水止め部材であるスプラッシュバリアであり、下側壁材１２Ｃと当接する。
【００３９】
２列の装着部８Ｂ、９Ｂは、下枠６Ｂに形成された下枠装着部であり、下枠６Ｂの見込み方向に離隔して、下枠６Ｂの長手方向の全体にわたって形成されている。第１装着部８Ｂは、下枠６Ｂの室外側装着部であり、第１シール部材４は、第１装着部８Ｂに装着されている。第２装着部９Ｂは、下枠６Ｂの室内側装着部であり、第２シール部材５は、第２装着部９Ｂに装着されている。下枠６Ｂにおいて、第１装着部８Ｂ及び第１シール部材４は、第２装着部９Ｂ及び第２シール部材５よりも室外側に位置し、第２装着部９Ｂ及び第２シール部材５は、第１装着部８Ｂ及び第１シール部材４よりも室内側に位置する。
【００４０】
２列のシール部材４、５は、装着部８Ｂ、９Ｂから下側に突出し、それぞれ下側壁材１２Ｃと当接する。下枠６Ｂ（外周部４１、装着部８Ｂ、９Ｂ）、シール部材４、５、及び、下側壁材１２Ｃにより、下枠６Ｂの等圧空間２０（下枠等圧空間２２）が形成される。等圧空間２０の下枠等圧空間２２は、下枠６Ｂの長手方向（横方向）に沿って連続して形成される。下枠等圧空間２２の室外側部分が第１シール部材４によりシールされ、下枠等圧空間２２の室内側部分が第２シール部材５によりシールされる。
【００４１】
上枠６Ａ（図７参照）は、連結ユニット７が連結される連結枠であり、連結ユニット７の室内側に配置されている。また、上枠６Ａは、本体ユニット６の内周側に位置する内周部５０と、本体ユニット６の外周側に位置する外周部５１と、室外側（連結ユニット７側）に位置する室外側部５２と、室内側に位置する室内側部５３と、パネル体２Ａを保持する保持部５４と、板状のカバー５５を有している。上枠６Ａの各部５０〜５５は、上枠６Ａの長手方向である横方向（左右方向）に沿って延びる。
【００４２】
内周部５０は、上枠６Ａの見込み方向に沿って形成された見込み部であり、かつ、本体ユニット６の内周部の一部（上部）である。外周部５１は、本体ユニット６の外周部の一部（上部）であり、上枠６Ａの見込み方向に沿って形成されて、内周部５０の上側に位置する。また、外周部５１は、室外側部５２に対して、本体ユニット６の外周側に位置しており、本体ユニット６の外周側に位置する室外側部５２の端部（外周側端部）から室内側に向かって形成されている。
【００４３】
室外側部５２は、壁状に形成された室外側壁部であり、連結ユニット７及び取付部７Ｂの室内側に配置されて、連結ユニット７及び取付部７Ｂと対向する。室内側部５３は、壁状に形成された室内側壁部であり、内周部５０の室内側の端部から上側に向かって形成されている。室外側部５２と室内側部５３は、上枠６Ａの見付け方向に沿って形成されている。保持部５４は、室外側部５２よりも下側、かつ、内周部５０よりも室外側に位置する。カバー５５は、外周部５１の室内側の端部から上方に突出する背板であり、外周部５１の室内側の端部、及び、室内側部５３の上側の端部に取り付けられている。
【００４４】
本体ユニット６と連結ユニット７の連結部分３Ｃは、本体ユニット６の上枠６Ａと連結ユニット７の取付部７Ｂとの連結部分である。連結ユニット７は、パネル体２Ａの室外側面２Ｂよりも室内側で本体ユニット６に連結されており、連結部分３Ｃは、パネル体２Ａの室外側面２Ｂよりも室内側に位置している。また、連結ユニット７は、パネル体２Ａよりも本体ユニット６の外周側（上側）で本体ユニット６に連結されており、連結部分３Ｃは、パネル体２Ａよりも本体ユニット６の外周側に位置している。ここでは、連結ユニット７は、パネル体２Ａの室内側面２Ｃ及び保持部５４よりも室内側で本体ユニット６に連結されており、連結部分３Ｃは、パネル体２Ａの室内側面２Ｃ及び保持部５４よりも室内側に位置している。
【００４５】
上枠６Ａは、連結ユニット７との連結位置に配置された連結枠であり、連結ユニット７を保持する。連結ユニット７の取付部７Ｂは、上枠６Ａに保持される被保持部であり、上枠６Ａに当接して、固定手段２７により、上枠６Ａに固定されている。また、取付部７Ｂは、上枠６Ａの長手方向（横方向）に沿って配置されて、上枠６Ａに取り付けられている。取付部７Ｂは、上枠６Ａの長手方向の全体にわたって上枠６Ａに当接する。取付部７Ｂに取り付けられた押縁５８により、パネル体２Ａの上縁部は、保持部５４及び上枠６Ａに保持されている。取付部７Ｂは、パネル体２Ａの上側に配置されている。
【００４６】
連結ユニット７の取付部７Ｂは、上枠６Ａの室外側部５２に固定される固定部６０と、上枠６Ａの外周部５１を覆うカバー部６１を有している。固定部６０は、壁状に形成された固定壁部であり、上枠６Ａの見付け方向に沿って形成されている。また、固定部６０は、室外側部５２の室外側に配置されて、室外側部５２に装着されている。固定部６０は、室外側部５２と当接する当接部であり、室外側部５２に沿って配置されて、固定手段２７により、室外側部５２に固定されている。固定手段２７は、上枠６Ａの室外側部５２と取付部７Ｂの固定部６０とを貫通するボルト２８と、ボルト２８がねじ込まれるナット２９からなる。
【００４７】
固定部６０の室外側部５２への固定により、取付部７Ｂが上枠６Ａに取り付けられて、連結ユニット７が本体ユニット６に連結される。カバー部６１は、固定部６０から室内側に突出する板状の突出部であり、上枠６Ａの外周部５１に重ね合わせて配置されて、外周部５１と当接する。カバー部６１は、外周部５１に装着されて、外周部５１の少なくとも室外側の部分を覆う。また、カバー部６１は、固定部６０に連続して形成されて、上枠６Ａの外周部５１と室外側部５２の間の角部、及び、連結部分３Ｃを覆う。
【００４８】
連結ユニット７の対向部７Ａは、上枠６Ａ及び取付部７Ｂの室外側に位置しており、２列の装着部８、９（第１装着部８Ｃ、第２装着部９Ｃ）を有している。装着部８Ｃ、９Ｃは、対向部７Ａの室外側（室外側壁材１２Ａ側）に形成され、対向部７Ａの長手方向である横方向（左右方向）に沿って延びる。対向部７Ａ及び装着部８Ｃ、９Ｃは、対向部７Ａの室外側に位置する建物１０の部材（ここでは、壁材１２（室外側壁材１２Ａ））に対して室内側に配置されて、室外側壁材１２Ａと対向する。
【００４９】
２列の装着部８Ｃ、９Ｃは、対向部７Ａに形成された対向装着部であり、対向部７Ａの幅方向（上下方向）に離隔して、対向部７Ａの長手方向の全体にわたって形成されている。第１装着部８Ｃは、対向部７Ａの下側装着部であり、第１シール部材４は、第１装着部８Ｃに装着されている。第２装着部９Ｃは、対向部７Ａの上側装着部であり、第２シール部材５は、第２装着部９Ｃに装着されている。対向部７Ａにおいて、第１装着部８Ｃ及び第１シール部材４は、第２装着部９Ｃ及び第２シール部材５よりも下側に位置し、第２装着部９Ｃ及び第２シール部材５は、第１装着部８Ｃ及び第１シール部材４よりも上側に位置する。
【００５０】
２列のシール部材４、５は、装着部８Ｃ、９Ｃから室外側に突出し、それぞれ室外側壁材１２Ａと当接する。対向部７Ａ、シール部材４、５、及び、室外側壁材１２Ａにより、対向部７Ａの等圧空間２０（対向等圧空間２３）が形成される。等圧空間２０の対向等圧空間２３は、対向部７Ａの長手方向（横方向）に沿って連続して形成される。対向等圧空間２３の下側部分が第１シール部材４によりシールされ、対向等圧空間２３の上側部分が第２シール部材５によりシールされる。
【００５１】
図８は、本実施形態のカーテンウォール１の斜視図であり、横方向に隣り合う２つのカーテンウォールユニット２の一部を斜め下側からみて示している。
図示のように、２つのカーテンウォールユニット２は、互いの縦枠６Ｃの間に等圧空間２０（縦枠等圧空間２１）を形成する。また、２つのカーテンウォールユニット２の連結ユニット７の間にも、連結ユニット７の接続部７Ｃ（図３参照）とシール部材４、５により、等圧空間２０が形成される。横方向に隣り合う２つのカーテンウォールユニット２の組み合わせ部分で、２つのカーテンウォールユニット２の接続部７Ｃは、横方向に隣接して、互いに対向して配置されている。
【００５２】
図９、図１０、図１１は、本実施形態のカーテンウォールユニット２の枠体３を示す斜視図であり、枠体３の上側部分の一部を示している。また、図９、図１０は、シール部材４、５を装着していない枠体３を示し、図１１は、シール部材４、５を装着した枠体３を示している。図９は、開口部３Ａ側からみた枠体３の上コーナー部を示し、図１０、図１１は、開口部３Ａの外側からみた枠体３の上側部分の一部を示している。
図示のように、連結ユニット７は、縦枠６Ｃの端部（上端部）に当接して、縦枠６Ｃの端部に載置されており、縦枠６Ｃにより支持されている。シーリング材３４（図９参照）が、連結ユニット７と本体ユニット６とが接する部分に設けられて、連結ユニット７と本体ユニット６の間の部分をシールしている。
【００５３】
連結ユニット７の接続部７Ｃは、縦枠６Ｃの端部から室外側に向かって突出しており、縦枠６Ｃの端部から対向部７Ａの長手方向の端部まで配置されている。対向部７Ａは、一対の接続部７Ｃの室外側の端部（先端部）の間に配置され、対向部７Ａの両端部は、それぞれ接続部７Ｃの室外側の端部と当接する。接続部７Ｃは、２列の装着部８、９（第１装着部８Ｄ、第２装着部９Ｄ）を有している。装着部８Ｄ、９Ｄは、接続部７Ｃにおける連結ユニット７の外側（横側）に形成され、接続部７Ｃの長手方向である室内外方向に沿って延びる。
【００５４】
２列の装着部８Ｄ、９Ｄは、接続部７Ｃに形成された接続装着部であり、接続部７Ｃの幅方向（上下方向）に離隔して、接続部７Ｃの長手方向の全体にわたって形成されている。第１装着部８Ｄは、接続部７Ｃの下側装着部であり、第１シール部材４は、第１装着部８Ｄに装着されている。第２装着部９Ｄは、接続部７Ｃの上側装着部であり、第２シール部材５は、第２装着部９Ｄに装着されている。接続部７Ｃにおいて、第１装着部８Ｄ及び第１シール部材４は、第２装着部９Ｄ及び第２シール部材５よりも下側に位置し、第２装着部９Ｄ及び第２シール部材５は、第１装着部８Ｄ及び第１シール部材４よりも上側に位置する。
【００５５】
２列のシール部材４、５は、装着部８Ｄ、９Ｄから横方向に突出し、それぞれ横方向に隣接する他のカーテンウォールユニット２のシール部材４、５と当接する。横方向に隣接する２つのカーテンウォールユニット２の接続部７Ｃとシール部材４、５により（図１１参照）、接続部７Ｃの等圧空間２０（接続等圧空間２４）が形成される。等圧空間２０の接続等圧空間２４は、接続部７Ｃの長手方向（室内外方向）に沿って連続して形成される。接続等圧空間２４の下側部分が第１シール部材４によりシールされ、接続等圧空間２４の上側部分が第２シール部材５によりシールされる。
【００５６】
なお、カーテンウォールユニット２の横方向に建物１０の部材（例えば、壁材１２、又は、壁材１２に装着されたシール部材）が隣接するときには、接続部７Ｃの装着部８Ｄ、９Ｄ及びシール部材４、５は、建物１０の部材と対向する。また、シール部材４、５は、建物１０の部材と当接する。この場合には、接続等圧空間２４は、接続部７Ｃ、シール部材４、５、及び、建物１０の部材により形成される。
【００５７】
縦枠６Ｃ（図１０参照）は、第２シール部材５の縦枠６Ｃへの装着を補助する補助部材３５を有している。補助部材３５は、第２装着部９Ａを有しており、縦枠６Ｃの端部に取り付けられている。補助部材３５の第２装着部９Ａは、縦枠６Ｃの第２装着部９Ａの一部であり、室内外方向に沿って配置されている。従って、補助部材３５の第２装着部９Ａを含む縦枠６Ｃの第２装着部９Ａは、連結ユニット７と連結する縦枠６Ｃの端部において、室外側に向かって屈曲している。第２シール部材５は、屈曲する第２装着部９Ａに連続して装着されて、縦枠６Ｃの端部において、室外側に向かって屈曲している。
【００５８】
接続部７Ｃの室外側の端部で、接続部７Ｃの装着部８Ｄ、９Ｄと対向部７Ａの装着部８Ｃ、９Ｃは、それぞれ端部同士を当接させて連続する。また、接続部７Ｃの室内側の端部で、接続部７Ｃの装着部８Ｄ、９Ｄと縦枠６Ｃの装着部８Ａ、９Ａは、それぞれ端部同士を当接させて連続する。接続部７Ｃの装着部８Ｄ、９Ｄは、対向部７Ａの装着部８Ｃ、９Ｃの端部から室内側に向かって縦枠６Ｃの装着部８Ａ、９Ａの端部まで連続して延びる。枠体３の２列の装着部８、９のそれぞれは、下枠６Ｂ、一対の縦枠６Ｃ、一対の接続部７Ｃ、及び、対向部７Ａに沿って連続して延び、環状に形成されている。
【００５９】
本体ユニット６は、一対の縦枠６Ｃに形成された２列の縦枠装着部（装着部８Ａ、９Ａ）と、下枠６Ｂに形成された２列の下枠装着部（装着部８Ｂ、９Ｂ）を有している。縦枠６Ｃの装着部８Ａ、９Ａと下枠６Ｂの装着部８Ｂ、９Ｂは、本体ユニット６に形成された本体装着部であり、本体ユニット６は、本体ユニット６の外側部に並列して形成された２列の本体装着部を有している。連結ユニット７は、対向部７Ａに形成された２列の対向装着部（装着部８Ｃ、９Ｃ）と、一対の接続部７Ｃに形成された２列の接続装着部（装着部８Ｄ、９Ｄ）を有している。対向部７Ａの装着部８Ｃ、９Ｃと接続部７Ｃの装着部８Ｄ、９Ｄは、連結ユニット７に形成された連結装着部であり、連結ユニット７は、連結ユニット７の外側部に並列して形成された２列の連結装着部を有している。枠体３の２列の装着部８、９は、それぞれ本体ユニット６の本体装着部（装着部８Ａ、９Ａ、装着部８Ｂ、９Ｂ）と、対向部７Ａの対向装着部（装着部８Ｃ、９Ｃ）と、接続部７Ｃの接続装着部（装着部８Ｄ、９Ｄ）を有している。
【００６０】
接続装着部（装着部８Ｄ、９Ｄ）は、対向装着部の端部（装着部８Ｃ、９Ｃの端部）から本体装着部の端部（装着部８Ａ、９Ａの端部）まで配置されて、対向装着部の端部と本体装着部の端部に連続して接続している。２列のシール部材４、５は、それぞれ装着部８、９の本体装着部（装着部８Ａ、９Ａ、装着部８Ｂ、９Ｂ）、接続装着部（装着部８Ｄ、９Ｄ）、及び、対向装着部（装着部８Ｃ、９Ｃ）に連続して装着されている。
【００６１】
具体的には、枠体３の第１装着部８は、順に連続する第１本体装着部（第１装着部８Ａ、第１装着部８Ｂ）、第１接続装着部（第１装着部８Ｄ）、及び、第１対向装着部（第１装着部８Ｃ）を有している。第１シール部材４は、第１装着部８の第１本体装着部、第１接続装着部、及び、第１対向装着部に順に連続して装着されて、第１装着部８に沿って連続して延びる。枠体３の第２装着部９は、順に連続する第２本体装着部（第２装着部９Ａ、第２装着部９Ｂ）、第２接続装着部（第２装着部９Ｄ）、及び、第２対向装着部（第２装着部９Ｃ）を有している。第２シール部材５は、第２装着部９の第２本体装着部、第２接続装着部、及び、第２対向装着部に順に連続して装着されて、第２装着部９に沿って連続して延びる。
【００６２】
２列のシール部材４、５により、枠体３の外側の等圧空間２０は、下枠６Ｂ、一対の縦枠６Ｃ、一対の接続部７Ｃ、及び、対向部７Ａに沿って連続して形成されて、環状に形成される。一対の縦枠６Ｃの縦枠等圧空間２１と下枠６Ｂの下枠等圧空間２２は、本体ユニット６の外側に形成された本体等圧空間であり、本体ユニット６の外側部に沿って形成されている。対向部７Ａの対向等圧空間２３と一対の接続部７Ｃの接続等圧空間２４は、連結ユニット７の外側に形成された連結等圧空間であり、連結ユニット７の外側部に沿って形成されている。枠体３の等圧空間２０は、順に連続する本体等圧空間（縦枠等圧空間２１、下枠等圧空間２２）、接続等圧空間２４、及び、対向等圧空間２３を有しており、２列のシール部材４、５によりシールされる。
【００６３】
以上説明したように、本実施形態のカーテンウォールユニット２では、連結ユニット７を本体ユニット６に連結している。これにより、枠体３の構造が複雑になるのを抑制できるとともに、シール部材４、５を枠体３に容易に連続して装着することができる。そのため、シール部材４、５を連続して装着するための手間やコストを削減することができる。枠体３の外側で、シール部材４、５によるシールを確実に行えるとともに、等圧空間２０を本体ユニット６と連結ユニット７に沿って容易に連続して形成することもできる。また、枠体３を簡単に製造することができる。
【００６４】
本体ユニット６と連結ユニット７の間の止水材３Ｂ（図３参照）により、本体ユニット６と連結ユニット７の間への水の浸入を防止して、カーテンウォールユニット２の止水性能を向上することができる。連結ユニット７をパネル体２Ａの室外側面２Ｂよりも室内側で本体ユニット６に連結しており（図７参照）、パネル体２Ａの室外側面２Ｂは、本体ユニット６と連結ユニット７の連結部分３Ｃよりも室外側に位置する。これに伴い、雨水等の水がパネル体２Ａにより遮られるため、水が本体ユニット６と連結ユニット７の連結部分３Ｃまで到達するのを抑制することができる。その結果、カーテンウォールユニット２の止水性能を向上することができる。
【００６５】
連結ユニット７の取付部７Ｂを本体ユニット６の上枠６Ａ（連結枠）に取り付けることで、連結ユニット７を本体ユニット６に簡単かつ確実に連結することができる。また、連結ユニット７の取付部７Ｂを上枠６Ａの長手方向に沿って配置するため、連結ユニット７の取付部７Ｂを上枠６Ａにより安定して支持でき、本体ユニット６に連結された連結ユニット７を安定させることもできる。取付部７Ｂの固定部６０を上枠６Ａの室外側部５２の室外側に固定するため、連結ユニット７の取付部７Ｂを上枠６Ａに容易に取り付けることができる。
【００６６】
固定部６０の室外側部５２への固定に加えて、取付部７Ｂのカバー部６１を上枠６Ａの外周部５１に装着するため、連結ユニット７の取付部７Ｂを上枠６Ａに安定した状態で取り付けることができる。連結ユニット７と本体ユニット６の連結をより確実に行うこともできる。カバー部６１により上枠６Ａの外周部５１を覆うことで、本体ユニット６と連結ユニット７の連結部分３Ｃにおいて、本体ユニット６と連結ユニット７の間への水の浸入を抑制することができる。そのため、連結部分３Ｃにおける止水性能を向上することができる。
【００６７】
なお、装着部８、９は、シール部材４、５が装着可能な部分であればよく、溝状の装着溝以外の装着部であってもよい。また、止水材３Ｂ（図３参照）は、上枠６Ａの長手方向に沿って配置してもよく、上枠６Ａの長手方向の全体にわたって配置してもよい。連結ユニット７を連結する連結枠は、本体ユニット６の上枠６Ａ以外の枠（例えば、下枠６Ｂ、縦枠６Ｃ）であってもよい。連結ユニット７を本体ユニット６の枠６Ａ〜６Ｃ以外の部分に連結してもよい。複数の連結ユニット７を本体ユニット６の複数箇所（例えば、上枠６Ａと下枠６Ｂ、一対の縦枠６Ｃ、上部と下部）に連結してもよい。
【００６８】
連結ユニット７を通気ユニット以外の用途に用いるようにしてもよい。例えば、連結ユニット７の開口部７Ｄにガラスパネルを設けて、連結ユニット７を副窓ユニットとして用いてもよい。また、連結ユニット７の開口部７Ｄに装飾部材を設けて、連結ユニット７を装飾ユニットとして用いてもよい。連結ユニット７の開口部７Ｄに照明装置を設けて、連結ユニット７を照明ユニットとして用いてもよい。これに対し、連結ユニット７に開口部７Ｄを形成しないようにしてもよい。
【００６９】
本実施形態では、連結ユニット７の対向部７Ａが室外側壁材１２Ａと対向する例について説明したが、対向部７Ａと対向する建物１０の部材は、他の部材（例えば、室外側壁材１２Ａに取り付けられた部材、建物１０の壁部１１に設けられる部材、建物１０の梁、建物１０の躯体）であってもよい。
【符号の説明】
【００７０】
１・・・カーテンウォール、２・・・カーテンウォールユニット、２Ａ・・・パネル体、３・・・枠体、３Ａ・・・開口部、３Ｂ・・・止水材、３Ｃ・・・連結部分、４・・・第１シール部材、５・・・第２シール部材、６・・・本体ユニット、６Ａ・・・上枠、６Ｂ・・・下枠、６Ｃ・・・縦枠、７・・・連結ユニット、７Ａ・・・対向部、７Ｂ・・・取付部、７Ｃ・・・接続部、７Ｄ・・・開口部、８・・・第１装着部、９・・・第２装着部、１０・・・建物、１１・・・壁部、１２・・・壁材、１３・・・開口部、１４・・・通気路、１５・・・グリル羽根、２０・・・等圧空間、２１・・・縦枠等圧空間、２２・・・下枠等圧空間、２３・・・対向等圧空間、２４・・・接続等圧空間、２７・・・固定手段、２８・・・ボルト、２９・・・ナット、３０・・・見込み部、３１・・・保持部、３２・・・押縁、３３・・・内周部、３４・・・シーリング材、３５・・・補助部材、４０・・・内周部、４１・・・外周部、４２・・・保持部、４３・・・押縁、４４・・・ガスケット、５０・・・内周部、５１・・・外周部、５２・・・室外側部、５３・・・室内側部、５４・・・保持部、５５・・・カバー、５８・・・押縁、６０・・・固定部、６１・・・カバー部。
【図１】
2019218727.tif 000003
【図２】
2019218727.tif 000004
【図３】
2019218727.tif 000005
【図４】
2019218727.tif 000006
【図５】
2019218727.tif 000007
【図６】
2019218727.tif 000008
【図７】
2019218727.tif 000009
【図８】
2019218727.tif 000010
【図９】
2019218727.tif 000011
【図１０】
2019218727.tif 000012
【図１１】
2019218727.tif 000013